(57)【要約】【課題】トリガー部の動きを円滑に効率よくピストン部に伝えることができ、しかも部品点数を減らすことができて組み付けも容易であるトリガー式スプレイヤーを提供すること。【解決手段】本発明は、ノズル部と該ノズル部１に取付けられたノズルベース部２と該ノズルベース部２に取付けられたピストン部３とピストン部３を収納するシリンダー部４１と該シリンダー部４１と一体化したボディ部４と、該ボディ部４に取付けられたカバー部と、ボディ部４に枢着されたトリガー部５とを備え、トリガー部５の回動により、ノズルベース部２を介してピストン部３を移動させシリンダー部４１内の液を圧してノズル部より液を噴射させるトリガー式スプレイヤーＡであって、該トリガー部５とノズルベース部２とが作用結合部２１を介して一体化されているトリガー式スプレイヤーＡ。【選択図】図５
2015137128.tif 000002
【特許請求の範囲】
【請求項１】
ノズル部と該ノズル部に取付けられたノズルベース部と該ノズルベース部に取付けられたピストン部とピストン部を収納するシリンダー部と該シリンダー部と一体化したボディ部と、該ボディ部に取付けられたカバー部と、ボディ部に枢着されたトリガー部とを備え、トリガー部の回動により、ノズルベース部を介してピストン部を移動させシリンダー部内の液を圧してシリンダー部に連通するノズル部より液を噴射させるトリガー式スプレイヤーであって、該トリガー部とノズルベース部とが作用結合部を介して一体化されていることを特徴とするトリガー式スプレイヤー。
【請求項２】
トリガー部とノズルベース部と作用結合部とが射出成形により一体化されていることを特徴とするトリガー式スプレイヤー。
【請求項３】
ノズルベース部がトリガー部の対向する両側壁間に配設された状態で一体化されるものであることを特徴とするトリガー式スプレイヤー。
【請求項４】
作用結合部は、ノズルベース部の側面から外方に突出した円柱状に形成されＶ字状溝が設けられていることを特徴とするトリガー式スプレイヤー。
【発明の詳細な説明】
【技術分野】
【０００１】
本発明は、トリガー式スプレイヤーに関し、より詳しくは、トリガー部の動きを円滑に効率よくピストン部に伝えることができ、しかも部品点数を減らすことができて組み付けも容易であるトリガー式スプレイヤーに関する。
【背景技術】
【０００２】
容器に収容された液体を所望の位置に吹き付ける装置として、従来、トリガー式スプレイヤーが知られている。
かかるトリガー式スプレイヤーは、トリガーを回動することによって、内蔵されたポンプの加圧、減圧による圧力変化を利用して液体を噴射させる装置であり、近年、蓄圧式のものも含めて多く開発されている。
【０００３】
ところでトリガー式スプレイヤーは、トリガー部の動きをピストン部に伝えることによりシリンダー部内の液を圧してノズル口から外部へ噴射させるものである。
しかしトリガー部は、回動するので弧状の軌跡となるが、ピストン部は左右の直線状の軌跡となっている。
したがって、トリガー部の動きをピストン部に伝えると、上下方向にピストン部が揺れを起こすことは避けられない。
【０００４】
すなわちピストン部の軸が上下に傾斜するのである（特許文献１、特許文献２）。
このように軸が傾斜するとピストン部とシリンダー部の接圧が円周方向で異なって均等ではなくなる。
【０００５】
従来のトリガー式スプレイヤーにおいては、トリガー部、ノズルベース部、ピストン部が変形することで上下方向のピストン部の揺れを極力防止しているのが実状である。
これでは、トリガー部の動きを円滑に効率よくピストン部に伝える手段としては必ずしも満足できるものとはいえない。
【先行技術文献】
【特許文献】
【０００６】
【特許文献１】特開２００１−２８７７６３号公報
【特許文献２】特開２００５−３４９３６８号公報
【発明の概要】
【発明が解決しようとする課題】
【０００７】
本発明は上記事情に鑑みてなされたものであり、トリガー部の動きを円滑に効率よくピストン部に伝えることができ、しかも部品点数を減らすことができて組み付けも容易であるトリガー式スプレイヤーを提供することを目的とする。
【課題を解決するための手段】
【０００８】
本発明者は、上記課題を解決するため鋭意検討したところ、トリガー部とノズルベース部とを結合部分を介して一体に形成することで、この結合部分の変形によりトリガー部の動きがピストン部に円滑に伝わることを見出し、本発明を完成するに至った。
【０００９】
すなわち、本発明は、（１）、ノズル部と該ノズル部１に取付けられたノズルベース部２と該ノズルベース部２に取付けられたピストン部３とピストン部３を収納するシリンダー部４１と該シリンダー部４１と一体化したボディ部４と、該ボディ部４に取付けられたカバー部と、ボディ部４に枢着されたトリガー部５とを備え、トリガー部５の回動により、ノズルベース部２を介してピストン部３を移動させシリンダー部４１内の液を圧してノズル部より液を噴射させるトリガー式スプレイヤーＡであって、該トリガー部５とノズルベース部２とが作用結合部２１を介して一体化されているトリガー式スプレイヤーＡに存する。
【００１０】
また、本発明は、（２）、トリガー部５とノズルベース部２と作用結合部２１とが射出成形により一体化されているリガー式スプレイヤーＡに存する。
【００１１】
また、本発明は、（３）、ノズルベース部２がトリガー部５の対向する両側壁間に配設された状態で一体化されるものであるトリガー式スプレイヤーＡに存する。
【００１２】
また、本発明は、（４）、作用結合部２１は、ノズルベース部２の側面から外方に突出した円柱状に形成されＶ字状溝が設けられているトリガー式スプレイヤーＡに存する。
【００１３】
なお、本発明の目的に沿ったものであれば上記発明を適宜組み合わせた構成も採用可能である。
【発明の効果】
【００１４】
本発明のトリガー式スプレイヤーＡは、ノズル部１と該ノズル部１に取付けられたノズルベース部２と該ノズルベース部２に取付けられたピストン部３とピストン部３を収納するシリンダー部４１と該シリンダー部４１と一体化したボディ部４と、該ボディ部４に取付けられたカバー部と、ボディ部４に枢着されたトリガー部５とを備え、トリガー部５の回動により、ノズルベース部２を介してピストン部３を移動させシリンダー部４１内の液を圧してシリンダー部に連通するノズル部より液を噴射させるものであって、該トリガー部５とノズルベース部とが作用結合部２１を介して一体化されているので、この結合部分が変形しトリガー部５の動きがピストン部３の直線状の動きとして円滑に且つ効率よく伝わる。
また部品点数が少なくなり、組み付けが容易となる。
またトリガー部５とノズルベース部２とが一体化されているので、組み付け時の両者の位置決めが不要となる。
【００１５】
また該トリガー部５とノズルベース部２と作用結合部２１とが射出成形により一体化されていることでプラスチック成形による一体化が容易に行える。
【００１６】
またノズルベース部２がトリガー部５の対向する両側壁間に配設された状態で一体化されるものであることにより、トリガー部５の左右のぐらつきが極力防止され、適正な回動ができる。
【００１７】
また作用結合部２１は、ノズルベース部２の側面から外方に突出した円柱状に形成されＶ字状溝が設けられているので、作用結合部２１が変形して動きの自由度が生まれ、トリガー部５の弧状の動きがノズルベース部２の直線状の動きとして伝えられる。
【図面の簡単な説明】
【００１８】
【図１】図１は、本発明に係るトリガー式スプレイヤーの一実施形態を示す斜視図である。
【図２】図２は、本実施形態に係るトリガー式スプレイヤーのトリガー部を引く前の状態を示す部分断面図である。
【図３】図３は、本実施形態に係るトリガー式スプレイヤーのトリガー部を引いた後の状態を示す部分断面図である。
【図４】図４は、本実施形態に係るトリガー式スプレイヤーのノズルベース部とトリガー部の一体関係を示す斜視図である。
【図５】図５は、ノズルベース部とトリガー部の一体関係を示す図であり、図５（Ａ）は正面図、また図５（Ｂ）は側面図である。
【図６】図６は、ノズルベース部とトリガー部の一体関係を示す一部断面図である。
【図７】図７は、本実施形態に係るトリガー式スプレイヤーＡの作用結合部の拡大断面図であり、図７（Ａ）は１つのＶ字状横溝が形成された作用結合部、また図７（Ｂ）は複数のＶ字状横溝が形成された作用結合部を示す。
【発明を実施するための形態】
【００１９】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２０】
図１は、本発明に係るトリガー式スプレイヤーＡの一実施形態を示す斜視図である。
【００２１】
図２は、本実施形態に係るトリガー式スプレイヤーＡのトリガーを引く前の状態を示す部分断面図である。
【００２２】
図３は、本実施形態に係るトリガー式スプレイヤーＡのトリガーを引いた後の状態を示す部分断面図である。
【００２３】
図に示すように、本発明のトリガー式スプレイヤーＡは、トリガー部５を引き込んで回動することにより、ピストン部３を移動させシリンダー部４１内の液を圧してシリンダー部４１に連通しているノズル部１より液を噴射させるものである。
トリガー式スプレイヤーＡは、ノズル部１、ノズルベース部２、ピストン部３、シリンダー部４１と一体化したボディ部４、カバー部、トリガー部５とを備える。
【００２４】
またトリガー部５とボディ部４の間にはトリガー部５を付勢するためのバネ体７が設けられている。
またシリンダー部４１の底にはＦバルブＦＶが取り付けられており、ボディ部４の下方にはキャップＢに対する掛合部が設けられている。
したがって、ボディ部４は、キャップＢに掛合された状態で、図示しない容器に取り付けられ、トリガー式スプレイヤーＡの機能によって容器内の液はノズル口１２から噴射される。
【００２５】
ここで、ノズル部１にはノズルベース部２が嵌まり込むことにより取付けられており、また該ノズルベース部２にはピストン部３が嵌まり込むことにより取付けられている。
この場合、ノズルベース部２とピストン部３との間にはＳバルブＳＶが配設される。
シリンダー部４１はボディ部４と一体に形成されており、すなわちボディ部４の一部がシリンダー部４１となっている。
このシリンダー部４１にピストン部３が収納されており、該ピストン部３はシリンダー部４１内を摺動する。
【００２６】
液を噴射させるノズル口１２を有する四角筒のノズル部１は、その対向する側面に爪部１１を備えており、この爪部１１は両側にスリットがあり弾圧的に押し下げることができる。
爪部１１はトリガー部５の受け部５１には嵌り込むことでロックされる。
そのため、ノズル部１の動きが阻止されて不用意に回動することがない。
従って、使用する場合は、まず爪部１１を押し下げて受け部５１に対しアンロック状態にする。
そして、この状態でノズル部１を回動させるとノズル口１２が開いて液を噴射できる状態となる。
【００２７】
このように、爪部１１を押し下げてアンロック状態とする操作（操作１）と、更にノズル部１を回動させて液を噴射できる状態にする操作（操作２）と、２段の操作アクションを行わなければ、液を噴射できない。
したがって、チャイルドレジスタンス機能が発揮でき、子供等が不用意にノズル部を回動させて液を突然噴射してしまう事態を回避できる。
一方、本発明では、トリガー部５とノズルベース部２とは作用結合部２１を介して一体化されているが、この点が本発明の大きな特徴点である。
【００２８】
図４は、本実施形態に係るトリガー式スプレイヤーＡのノズルベース部２とトリガー部５の一体関係を示す斜視図であり、トリガー部５は一部省略して示した。
【００２９】
図５は、ノズルベース部２とトリガー部５の一体関係を示す図であり、図５（Ａ）は正面図、また図５（Ｂ）は側面図である。
【００３０】
図６は、ノズルベース部２とトリガー部５の一体関係を示す一部断面図である。
図から分かるように、トリガー部５には、上部の両側壁間に収納空間を有するので、ここにノズルベース部２が配設された状態で一体化されている。
【００３１】
作用結合部２１は、ノズルベース部２の側面から外方に突出した円柱状に形成され、この作用結合部２１とトリガー部５とノズルベース部２とは、例えば、射出成形により一体となる。
【００３２】
トリガー部５の上端付近には通孔５２が形成されており、ボディ部４は、その両側に図示しない支軸が突出している。
トリガー部５の通孔５２にボディ部４の支軸を嵌め込むことで、トリガー部５はボディ部４に枢着された状態となり、支軸を支点として回動可能となる。
本発明ではトリガー部５の動きが極めてスムーズ且つ効率よく行える特徴がある。
【００３３】
これについて以下詳しく説明する。
前述したように、トリガー部５とノズルベース部２が作用結合部２１を介して一体となっているが、これは成形時（詳しくは射出成形時）において一体化したものである。
トリガー部５とノズルベース部２が一体化されていることにより、トリガー部５の動きがノズルベース部２の動きに効率よく伝わる。
ところでトリガー部５とノズルベース部２との両者間の動きについていうと、トリガー部５は、枢着部である支軸を支点として回動するため、支点より一定距離離れた位置にある作用結合部２１の動きは弧状の軌跡を描く。
【００３４】
一方、ノズルベース部２の動きは、ピストン部３の動きと同じで、図でいう左右方向の直線状の軌跡となる。
そのため、トリガー部５の動きをノズルベース部２に伝えようとすると両者の動きに力学的な無理が生じる。
すなわちトリガー部５か或いはノズルベース部２が変形する必要があるのである。
【００３５】
本発明ではトリガー部５とノズルベース部２との間にある作用結合部２１が変形することでトリガー部５やノズルベース部２の変形を防止している。
すなわちトリガー部５を引き込むと作用結合部２１が上下の動きを吸収してノズルベース部２を左右方向に直線状に移動させる。
このようにトリガー部５とノズルベース部２の間にあって、作用結合部２１はトリガー部５とノズルベース部２を変形させることなく的確に両者間で動きを伝える役割を果たすのである。
【００３６】
この作用結合部２１は、円柱状であって合成樹脂で形成されているため、相応の変形が可能で動きに自由度があるから、このような動きの伝達機能を十分に発揮できる。
トリガー部５が弧状に動いても作用結合部２１が変形する（すなわち捻れながら軸が撓む）ことでノズルベース部２は、上下に揺れることなく左右方向に直線状に移動することができる。
作用結合部２１にこのような動きの自由度を与えるには、例えば、円柱状の作用部連結にＶ字状溝を設けることが好ましい。
【００３７】
図７は、本実施形態に係るトリガー式スプレイヤーＡの作用結合部２１の拡大断面図であり、図７（Ａ）は、一部のみＶ字状溝を設けた例、図７（Ｂ）は、複数箇所にＶ字状溝を設けた例、を示す。
作用結合部２１のＶ字状溝があるため捻れ変形や撓みがし易くなり動きの自由度がより増大することとなる。
【００３８】
（噴射操作）
いま、ピストン内に液が充填されていると想定する。
トリガー部５を引き込むと、トリガー部５は、枢着部である支軸を支点として回動するが、支軸から一定距離下方にある作用結合部２１（作用点）がノズルベース部２を動かす。
この場合、トリガー部５は弧状の動きをするが、作用結合部２１は弧状の動きから生じる上下移動を吸収して左右の直線移動のみをノズルベース部２に伝える。
そのため、ノズルベース部２→ピストン部３とその動きが伝わり、ピストン部３はシリンダー部４１内を図でいう左右方向に直線状に正確に摺動する。
従って、ピストン部３とシリンダー部との接圧が均等となる。
トリガー部５の動きを円滑にピストン部３に円滑に効率よく伝えることができるのである。
【００３９】
シリンダー部４１内の液を圧することで、液はノズルベース部２の通路を通ってノズル部１の噴射口から外部に噴射されることとなる。
一方、ノズルベース部２に上下の揺れが生じないため、ノズル部１が上下に振れなく正確に的に噴射できる。
【００４０】
そして液を噴射した後、トリガー部５を解放すると、トリガー部５とボディ部４の間に配設されたバネ体の復帰力によって、トリガー部５が元の位置に戻ると共に、ピストン部３も元の位置に戻る。
この時も、作用結合部２１（作用点）を介してノズルベース部２の左右の直線移動がトリガー部５の弧状の動きに的確に伝えられる。
ピストン部３も元の位置に戻ることで、シリンダー部４１内の空間が負圧となるので、負圧を解消するために容器内の液体が吸上げられてシリンダー部４１内に液体が充填されることになる。
【００４１】
以上、本発明の好適な実施形態について説明したが、本発明は上記実施形態に限定されるものではない。
【００４２】
本実施形態に係るトリガー式スプレイヤーＡにおいては、作用結合部２１がトリガー部５とノズルベース部２の間にあって動きの自由度を発揮するが、形状は円柱に限らず角柱でもよい。
またＶ字状横溝は、必ずしもＶ字の形状に限らず動きの自由度が発揮できればよい。
またノズルベース部２とピストン部３との間に、更にピストンシャフト部を配設することも可能であり、ノズルベース部２とピストン部３との距離を大きくしたい場合等に採用する。  
【産業上の利用可能性】
【００４３】
本発明のトリガー式スプレイヤーＡは、該トリガー部５とノズルベース部２とが作用結合部２１を介して一体化されていることで、この作用結合部２１分が変形しトリガー部５の動きがピストン部３に円滑に且つ効率よく伝わる。また部品点数が少なくなり、組み付けが容易となる。
またトリガー部５とノズルベース部２とが一体化されているので、組み付け時の位置決めが不要となる。
【符号の説明】
【００４４】
１・・・ノズル部
１１・・・爪部
１２・・・ノズル口
２・・・ノズルベース部
２１・・・作用結合部
２１Ａ・・・Ｖ字横溝
３・・・ピストン部
４・・・ボディ部
４１・・・シリンダー部
５・・・トリガー部
５１・・・受け部
５２・・・通孔
６・・・カバー部
７・・・バネ体
８・・・チューブ
Ａ・・・トリガー式スプレイヤー
Ｂ・・・キャップ
ＦＶ・・・Ｆバルブ
ＳＶ・・・Ｓバルブ
【図１】
2015137128.tif 000003
【図２】
2015137128.tif 000004
【図３】
2015137128.tif 000005
【図４】
2015137128.tif 000006
【図５】
2015137128.tif 000007
【図６】
2015137128.tif 000008
【図７】
2015137128.tif 000009